Podtech/llm-jp-corpus-v4-ja_patent huggingface dataset:
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
操舵部材に連動して回転するピニオンの回転を車体の左右方向に延びるラック軸の直線変位に変換し、この直線変位を受けて一対の車輪をそれぞれ転舵させるための一対のタイロッドを車体の左右方向の中央位置から取り出すようにしたセンターテイクオフ型のステアリング装置において、
上記一対のタイロッドの端部をラック軸に取り付けるための取付ブラケットを備え、
この取付ブラケットは、当該取付ブラケットをラック軸に固定するための固定ねじが挿通される一対のねじ挿通孔を有するベースと、上記一対のねじ挿通孔間の中間部から立ち上がり且つ一対のタイロッドの端部を球面軸受を介してそれぞれ支持する支持ステーとを含み、
ラック軸の軸方向に沿って見たときに、各タイロッドの端部を支持する球面軸受の中心が上記固定ねじの軸線上から所定距離オフセットされており、これに加えて、固定ねじの軸方向およびラック軸の軸方向の双方に対して垂直な方向から見たときに、球面軸受の少なくとも一部と、固定ねじの一部とが、互いに重なり合うように配置されていることを特徴とするステアリング装置。
【手続補正２】
【補正対象書類名】明細書
【補正対象項目名】０００８
【補正方法】変更
【補正の内容】
【０００８】
本発明は、操舵部材（３）に連動して回転するピニオン（１３）の回転を車体（９）の左右方向（Ｘ）に延びるラック軸（１４）の直線変位に変換し、この直線変位を受けて一対の車輪（２）をそれぞれ転舵させるための一対のタイロッド（２８）を車体の左右方向の中央位置（９ａ）から取り出すようにしたセンターテイクオフ型のステアリング装置（１）において、上記一対のタイロッドの端部（２８ｂ）をラック軸に取り付けるための取付ブラケット（３９）を備え、この取付ブラケットは、当該取付ブラケットをラック軸に固定するための固定ねじ（４１）が挿通される一対のねじ挿通孔（３９ｃ）を有するベース（３９ａ）と、上記一対のねじ挿通孔間の中間部（３９ｅ）から立ち上がり且つ一対のタイロッドの端部を球面軸受（４０）を介してそれぞれ支持する支持ステー（３９ｂ）とを含み、ラック軸の軸方向（Ｘ１）に沿って見たときに、各タイロッドの端部を支持する球面軸受の中心（４０ｃ）が上記固定ねじの軸線（４１ｃ）上から所定距離（Ｌ１）オフセットされており、これに加えて、固定ねじの軸方向およびラック軸の軸方向の双方に対して垂直な方向から見たときに、球面軸受の少なくとも一部と、固定ねじの一部とが、互いに重なり合うように配置されていることを特徴とする。
【手続補正書】
【提出日】平成21年1月9日(2009.1.9)
【手続補正１】
【補正対象書類名】明細書
【補正対象項目名】特許請求の範囲
【補正方法】変更
【補正の内容】
【特許請求の範囲】
【請求項１】 陽極と陰極と制御グリッドとを含むＸ線管と、電源と、スイッチング・ユニットとを備えるイメージング装置であって、
前記スイッチング・ユニットが前記Ｘ線管と前記電源とに結合されて、Ｘ線ビームの放出を制御するために前記Ｘ線管に与える信号を変更するように構成されている少なくとも１個のスイッチ素子を含んでおり、
前記スイッチ素子の各々が、選択された電圧降下を有する電圧降下素子を含んでおり、
該電圧降下素子がトランジスタと並列に接続されており、前記電圧降下素子の電圧降下と、ほぼゼロの電圧との間に前記Ｘ線管に与える信号を変更するように構成されているＸ線イメージング装置。
【請求項２】 前記スイッチ素子の各々が、制御グリッドに与える信号を変更するように構成されている請求項１に記載のＸ線イメージング装置。
【請求項３】 前記スイッチ素子の各々が、陰極に与える信号を変更するように構成されている請求項１に記載のＸ線イメージング装置。
【請求項４】 Ｘ線管への信号を変更するために、前記スイッチング・ユニットが、前記スイッチ素子に励起信号が供給されているか否かを検出し、前記スイッチ素子に励起信号が供給されている場合には、前記励起信号を受け取る前記スイッチ素子の電圧降下の値だけＸ線管に結合された信号を変更するように構成されている請求項１に記載のＸ線イメージング装置。
【請求項５】 前記スイッチ素子の各々が、前記スイッチング素子に励起信号が供給されているか否かを検出するように構成した受信部をさらに含んでいる請求項４に記載のＸ線イメージング装置。
【請求項６】 前記受信部がフォトダイオードである請求項５に記載のＸ線イメージング装置。
【請求項７】 前記受信部が光カプラである請求項５に記載のＸ線イメージング装置。
【請求項８】 前記電圧降下素子がツェナーダイオードである請求項４に記載のＸ線イメージング装置。
【請求項９】 前記電圧降下素子が火花ギャップである請求項１に記載のＸ線イメージング装置。
【請求項１０】 前記スイッチ素子を固定するための絶縁構造をさらに含んでいる請求項１に記載のＸ線イメージング装置。
【請求項１１】 前記絶縁構造が、前記スイッチ素子からのコロナ放電を減少させるように構成した静電シールドを含んでいる請求項１０に記載のＸ線イメージング装置。
【請求項１２】 陽極と陰極と制御グリッドとを含むＸ線管と、電源と、前記Ｘ線管と前記電源とに結合された少なくとも１個のスイッチ素子を含むスイッチング・ユニットとを備えるイメージング装置においてＸ線照射量を減少させるための方法であって、
前記Ｘ線管からＸ線ビームを放出すべきか否かを決定するステップと、
Ｘ線ビームを放出すべきである場合、前記Ｘ線管に電圧及び電流信号を供給し、該電圧及び電流信号を変更して前記Ｘ線の強度を変更するステップと、
を含んでおり、
前記スイッチ素子の各々が、選択された電圧降下を有し、前記電圧降下素子の電圧降下と、ほぼゼロの電圧との間に前記Ｘ線管に与える信号を変更する電圧降下素子を含んでいる前記方法。
【請求項１３】 Ｘ線管に供給する電圧及び電流信号を変更するステップが、制御グリッドに加える電圧及び電流信号を各電圧降下素子の電圧降下の値だけ変更するステップを含んでいる請求項１２に記載の方法。
【請求項１４】 Ｘ線管に供給する電圧及び電流信号を変更するステップが、Ｘ線管陰極に加える電圧及び電流信号を各電圧降下素子の電圧降下の値だけ変更するステップを含んでいる請求項１２に記載の方法。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
超伝導磁石用の低渦電流極低温剤回路（１００）であって、
導電性材料で構成された少なくとも第１の冷却コイル（１０２）と、
前記第１の冷却コイル（１０２）に組み込まれた少なくとも１つの電気絶縁体（１０４）とを含み、
前記電気絶縁体は、前記第１の冷却コイル（１０２）における電流路を遮断し、前記第１の冷却コイル（１０２）と渦電流誘導磁界源との誘導結合に起因する誘導による渦電流の発生を抑制する非導電性材料の管を備えていることを特徴とする低渦電流極低温剤回路（１００）。
【請求項２】
前記極低温剤回路（１００）は更に第２の冷却コイル（１１８）を含み、該第２の冷却コイル（１１８）には少なくとも第２の電気絶縁体（１２０）が組み込まれており、前記第２の電気絶縁体（１２０）は前記第２の冷却コイル（１１８）と渦電流誘導磁界源との誘導結合に起因して磁界が誘導されるのを防止するように配置されており、前記第１及び第２の冷却コイル（１０２，１１８）の両方がほぼ半円形の部分（１１０）を含んでおり、また前記前記第１及び第２の冷却コイル（１０２，１１８）は、ほぼ円形の形状を持つ冷却バンド（１２２）を形成するように互いに対して位置決めされている、請求項１記載の極低温剤回路（１００）。
【請求項３】
更に、複数の冷却バンド（１２２）と、該複数の冷却バンド（１２２）に極低温剤を分配するように構成されているマニホルド（１２３）とを含んでいる請求項２記載の極低温剤回路（１００）。
【請求項４】
超伝導磁石（３０２）を冷却する方法であって、
請求項１乃至３のいずれかに記載の極低温剤回路（１００）を超伝導磁石（３０２）に熱接触させる段階と、
極低温剤を前記第１の冷却コイル（１０２）に通す段階と
を含んでいる方法。
【請求項５】
前記方法は更に、少なくとも第２の電気絶縁体（１２０）を組み込んだ第２の冷却コイル（１１８）を前記超伝導磁石（３０２）に熱接触させる段階を含んでおり、前記第２の電気絶縁体（１２０）は前記第２の冷却コイル（１２０）と渦電流誘導磁界源との誘導結合に起因して磁界が誘導されるのを防止するように配置されており、前記第１及び第２の冷却コイル（１０２，１１８）の両方はほぼ半円形の部分（１１０）を含んでおり、また前記第１及び第２の冷却コイル（１０２，１１８）は、ほぼ円形の形状を持つ冷却バンド（１２２）を形成するように互いに対して位置決めされている、請求項４記載の方法。
【請求項６】
極低温剤を通す前記段階は、前記冷却バンドの上方に配置された極低温剤タンク（１２４）から極低温剤を前記第１及び第２の冷却コイル（１０２，１１８）に供給する段階を含んでおり、前記第１及び第２の冷却コイル（１０２，１１８）は頂部部分（１０８）及び底部部分（１０６）を有しており、前記極低温剤が前記底部部分（１０６）に供給され且つ前記頂部部分（１０８）から排出される、請求項５記載の方法。
【請求項７】
超伝導磁石（３０２）と、
請求項１乃至３のいずれかに記載の低渦電流極低温剤回路（１００）と、
を含んでいるＭＲＩシステム（３００）。
【請求項８】
前記第１の冷却コイル（１０２）は導電性材料で構成されており、前記第１の冷却コイル（１０２）には少なくとも１つの電気絶縁体（１０４）が組み込まれており、前記電気絶縁体（１０４）は前記第１の冷却コイル（１０２）と渦電流誘導磁界源との誘導結合に起因して磁界が誘導されるのを防止するように配置されている、請求項７記載のＭＲＩシステム（３００）。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
電極を有する圧電素子を複数積層して構成された積層圧電素子を備えた圧電デバイスにおいて、前記圧電素子は前記積層圧電素子の表面で前記電極と短絡された外部電極と絶縁されている補強電極と、前記補強電極と他の電極を絶縁する絶縁部とを有することを特徴とする圧電デバイス。
【請求項２】
駆動電極と前記駆動電極と絶縁された補強電極を同一面内に形成した圧電素子を複数積層して構成された積層圧電素子を備えた圧電デバイスにおいて、前記駆動電極は前記積層圧電素子の表面で外部電極と短絡され、前記補強電極は前記外部電極と絶縁されていることを特徴とする圧電デバイス。
【請求項３】
前記積層圧電素子は穴部を有し、前記補強電極は前記穴部の内径部を含む位置に設けられたことを特徴とする請求項１または２に記載の圧電デバイス。
【請求項４】
前記穴部に接続された軸部をさらに有することを特徴とする請求項３記載の圧電デバイス。
【請求項５】
前記穴部は前記積層圧電素子の振動の節に設けられていることを特徴とする請求項３又は４に記載の圧電デバイス。
【請求項６】
前記圧電デバイスは前記積層圧電素子の振動により、前記積層圧電素子と接する移動体を駆動する超音波モータであることを特徴とする請求項１乃至５の何れかに記載の圧電デバイス。
【請求項７】
請求項６記載の超音波モータにより駆動される稼動部を有することを特徴とする電子機器。
【手続補正２】
【補正対象書類名】明細書
【補正対象項目名】０００５
【補正方法】変更
【補正の内容】
【０００５】
そこで、上記課題を解決する為に本発明の圧電デバイスでは、電極を有する圧電素子を複数積層して構成された積層圧電素子を用いた圧電デバイスにおいて、前記圧電素子は前記積層圧電素子の表面で前記電極と短絡された外部電極と絶縁されている補強電極を有する構造とした。そして、積層圧電素子に穴部を設ける構造においては、電極のうち穴部に位置する補強電極と、補強電極と他の電極を絶縁する絶縁部を有する構造とした。
【手続補正３】
【補正対象書類名】明細書
【補正対象項目名】０００７
【補正方法】変更
【補正の内容】
【０００７】
本発明によれば積層圧電素子の製造工程(焼結)で生じる収縮で生じる形状精度の悪化やそりやうねりの影響を受けにくくなる。また、積層圧電素子に穴部を設けても、積層された圧電素子の各層間の接合強度が強くできるため、かけやクラックが生じにくく加工精度もよく仕上げ面がきれいになる。また使用時においても穴部を通じてクラックが生じることもなく信頼性の高い圧電デバイス、強いてはこれを搭載した電子機器が実現できる。裏返せば積層圧電素子を大出力で駆動できることであり、例えばアクチュエータを構成した場合きわめて大きな出力が得られる。
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
特別図柄始動口への入賞球が検出されたことを示す特図始動信号が入力されたときに、ガラス枠または前面枠の開放が検出されていれば前記特図始動信号を虚偽信号と判断し、
該虚偽信号と判断すると、異常発生を報知するための報知処理を実行することを特徴とする弾球遊技機。
【手続補正２】
【補正対象書類名】明細書
【補正対象項目名】０００７
【補正方法】変更
【補正の内容】
【０００７】
上記課題を解決するための請求項１記載の弾球遊技機は、
特別図柄始動口への入賞球が検出されたことを示す特図始動信号が入力されたときに、ガラス枠または前面枠の開放が検出されていれば前記特図始動信号を虚偽信号と判断し、
該虚偽信号と判断すると、異常発生を報知するための報知処理を実行することを特徴とする。
【手続補正３】
【補正対象書類名】明細書
【補正対象項目名】００１３
【補正方法】変更
【補正の内容】
【００１３】
請求項１記載の弾球遊技機は、特別図柄始動口への入賞球が検出されたことを示す特図始動信号が入力されたときに、ガラス枠または前面枠の開放が検出されていれば前記特図始動信号を虚偽信号と判断し、該虚偽信号と判断すると、異常発生を報知するための報知処理を実行するから、異常発生の報知が可能である。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
管腔内ファスナーアプライアであって、該アプライアは、
中空の身体器官内で管腔内に配備するために寸法決めおよび構成された長手軸を持つガイド本体と、
該ガイド本体によって担われた作動されるアセンブリであって、該中空の身体器官において組織中に少なくとも１つのファスナーを移植するための移植力を発生するように選択的に動作可能である、作動されるアセンブリと、
を備え、
該作動されるアセンブリは、ほぼ該長手軸に沿って延び、そして、選択されたファスナーを係合するために寸法決めおよび構成された駆動式部材と、該駆動式部材に連結され、該駆動式部材に、該ガイド本体の該長手軸に対して角度を付けた方向の該移植力を加える、駆動部材と、を備える、
管腔内ファスナーアプライア。
【請求項２】
前記作動されるアセンブリが、前記駆動式部材と前記駆動部材との間の角度を、約９０°以下に維持する構造を備える、請求項１に記載の管腔内ファスナーアプライア。
【請求項３】
前記作動されるアセンブリが、前記駆動式部材と前記駆動部材との間に一定の角度を維持する構造を備える、請求項１に記載の管腔内ファスナーアプライア。
【請求項４】
前記一定の角度が、約９０°以下である、請求項３に記載の管腔内ファスナーアプライア。
【請求項５】
前記作動されるアセンブリが、前記駆動式部材を前記駆動部材に対して接合して、前記角度を調整するための制御機構を備える、請求項１に記載の管腔内ファスナーアプライア。
【請求項６】
前記制御機構が、前記駆動部材を、前記長手軸とほぼ整列した第一の位置から、該長手軸に対して角度を付けて接合された第二の位置まで接合する、請求項５に記載の管腔内ファスナーアプライア。
【請求項７】
前記制御機構が、前記駆動部材を、前記第一の位置と前記第二の位置との間の位置の範囲で接合する、請求項６に記載の管腔内ファスナーアプライア。
【請求項８】
前記第二の位置における前記角度が約９０°以下である、請求項６に記載の管腔内ファスナーアプライア。
【請求項９】
請求項１に記載の管腔内ファスナーアプライアであって、前記中空の身体器官内の移植力のうちの少なくとも一部分を分解するための、前記移植力の方向とは異なる方向の分解力を加えるための、前記ガイド本体と連携された安定化手段をさらに備える、管腔内ファスナーアプライア。
【請求項１０】
前記安定化手段が支柱アセンブリを含む、請求項９に記載の管腔内ファスナーアプライア。
【請求項１１】
前記安定化手段が、組織と接触するように適合されたバネ荷重式アームを含む、請求項９に記載の管腔内ファスナーアプライア。
【請求項１２】
前記安定化手段が、組織と接触するように適合された拡張可能な部材を含む、請求項９に記載の管腔内ファスナーアプライア。
【請求項１３】
前記安定化手段が、組織把持要素を含む、請求項９に記載の管腔内ファスナーアプライア。
【請求項１４】
前記少なくとも１つのファスナーが、組織に貫通および貫入するための鋭い遠位先端部を有する組織貫通ファスナーを含む、請求項１に記載の管腔内ファスナーアプライア。
【請求項１５】
前記組織貫通ファスナーが、螺旋状ファスナーを含む、請求項１４に記載の管腔内ファスナーアプライア。
【請求項１６】
請求項１に記載の管腔内ファスナーアプライアであって、前記ガイド本体が、前記中空の身体器官内の移植力のうちの少なくとも一部分を分解するための、前記移植力の方向とは異なる方向の分解力を加える柱の強度を有するカテーテル本体を含む、管腔内ファスナーアプライア。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
管部位に塞栓を形成するための管インプラントデバイスであって、親水性のヒドロゲル物質から形成される栓塞部材を備え、該栓塞部材は、初期形態を有し、かつ、主に親水性動作によって、初期形態から前記管部位の塞栓のために動脈瘤の内部が該栓塞部材によって実質的に充たされる膨張形態へと膨張可能であることを特徴とする管インプラントデバイス。
【請求項２】
前記管インプラントデバイスは、管内の配備部材の末端部に解放可能に取り付けられ、前記栓塞部材は、管インプラントデバイスが前記動脈瘤内に配備部材から制御可能に解放された後、主に親水性水和作用により初期形態から膨張形態へと膨張する請求項１記載の管インプラントデバイス。
【請求項３】
前記ヒドロゲル物質は、オレフィン、ポリビニルアルコール及びＰＨＥＭＡからなる群から選択される親水性重合体である請求項１又は２記載の管インプラントデバイス。
【請求項４】
前記栓塞部材は成形ヒドロゲルから形成される請求項１〜３のいずれか一記載の管インプラントデバイス。
【請求項５】
前記ヒドロゲル物質は多孔質である請求項１〜４のいずれか一記載の管インプラントデバイス。
【請求項６】
前記配備部材は、管状要素及びコイル部材のうちの少なくとも一方を含む請求項２〜５のいずれか一記載の管インプラントデバイス。
【請求項７】
前記ヒドロゲル物質は、完全に水和した際、少なくとも約９０％の含水率を有する請求項１〜６のいずれか一記載の管インプラントデバイス。
【手続補正書】
【提出日】平成21年4月24日(2009.4.24)
【手続補正１】
【補正対象書類名】明細書
【補正対象項目名】０００１
【補正方法】変更
【補正の内容】
【０００１】
本発明は、遊技盤の裏面側を覆うカバー部材を備えた遊技機に関するものである。
【手続補正２】
【補正対象書類名】明細書
【補正対象項目名】０００２
【補正方法】変更
【補正の内容】
【０００２】
球を遊技領域へ打ち込んで遊技を行うパチンコ機などの遊技機では、遊技盤の裏面側に配設される主制御基板によって、遊技盤に設けられる図柄作動口、普通入賞口および特定入賞口（大入賞口）などの入賞装置や、複数種類の図柄を変動表示可能な表示装置等が制御される。
【手続補正３】
【補正対象書類名】明細書
【補正対象項目名】０００３
【補正方法】変更
【補正の内容】
【０００３】
これらの入賞装置や表示装置は、遊技盤に貫通形成された複数の配設穴に配設されており、遊技盤の裏面側は取着されるカバー部材によって覆われている。
【手続補正４】
【補正対象書類名】明細書
【補正対象項目名】０００４
【補正方法】変更
【補正の内容】
【０００４】
しかしながら、遊技機を出荷する際等に、遊技盤の裏面側のカバー部材を開放させ、これらの入賞装置や表示装置等に不正行為が行われてしまう怖れが有るという問題点があった。
【手続補正５】
【補正対象書類名】明細書
【補正対象項目名】０００５
【補正方法】変更
【補正の内容】
【０００５】
本発明は、上述した問題点を解決するためになされたものであり、カバー部材が不正に開放されることを抑制することができる遊技機を提供することを目的としている。
【手続補正６】
【補正対象書類名】明細書
【補正対象項目名】０００６
【補正方法】変更
【補正の内容】
【０００６】
この目的を達成するために請求項１記載の遊技機は、表面側に遊技領域が形成された遊技盤と、その遊技盤に配設される構成部品と、前記遊技盤を裏面側から覆うカバー部材とを備えており、前記遊技盤の裏面側に、遊技内容に応じて球を払い出す払出機構が設けられる機構盤と、接続線との電気的接続に使用されるコネクタが搭載された遊技の制御を行う制御基板が収容され、その制御基板の前記コネクタに対するコネクタ開口が設けられた基板ボックスと、第１連結部と、貫通穴を有する第１施錠部とを備え、前記カバー部材に、前記第１連結部に対応して設けられる第２連結部と、前記第１施錠部に対応して設けられる貫通穴を有する第２施錠部とを備え、封止手段によって前記第１連結部および第２連結部を連結封止することで、前記カバー部材が固着されるものであり、前記基板ボックスは、ボックスベースとボックスカバーとによって前記制御基板を収容するとともに、前記カバー部材が固着された状態では、少なくとも基板ボックスの前記コネクタ開口に臨む前記コネクタ及び配線が、前記カバー部材によって覆われ、前記カバー部材が固着された状態では、前記第１施錠部と前記第２施錠部とによって施錠部が形成され、遊技機とは別に設けられる錠部材によって前記施錠部を施錠可能としたものである。
【手続補正７】
【補正対象書類名】明細書
【補正対象項目名】０００７
【補正方法】変更
【補正の内容】
【０００７】
本発明の遊技機によれば、表面側に遊技領域が形成された遊技盤と、その遊技盤に配設される構成部品と、遊技盤を裏面側から覆うカバー部材とを備え、遊技盤の裏面側に貫通穴を有する第１施錠部を備え、カバー部材に第１施錠部に対応して設けられる貫通穴を有する第２施錠部を備え、カバー部材が固着された状態では、第１施錠部と第２施錠部とによって施錠部が形成され、遊技機とは別に設けられる錠部材によって施錠部を施錠可能としたので、カバー部材が不正に開放されることを抑制することができるという効果がある。
【手続補正８】
【補正対象書類名】明細書
【補正対象項目名】００９４
【補正方法】変更
【補正の内容】
【００９４】
２，２０                    遊技盤
２ａ                        裏面（遊技盤の裏面側の一部）
２ｆ                        遊技領域
３，３１，５１              セーフ球集合カバー（遊技盤の裏面側の一部）
３ｅ                        封印ボス（第１連結部）
９，２１，３２              役物カバー（カバー部材）
９ｅ                        封印リブ（第２連結部）
１０                        機構盤
１０ｄ                      補強梁（機構盤の一部）
１１                        賞球払出装置（払出機構）
１２                        主制御基板ボックス（基板ボックス）
１２ｃ                      コネクタ口（コネクタ開口）
１３                        主制御基板（制御基板）
１３ａ                      コネクタ
１６，４１                  連結ねじ（封印手段の一部）
１７                        封印シール（封印手段の一部）
３１ａ                      施錠板（第１施錠部）
３２ａ                      施錠板（第２施錠部）
３１ｂ                      施錠穴（第１施錠部の貫通穴）
３２ｂ                      施錠穴（第２施錠部の貫通穴）
３３                        施錠具（錠部材）
Ｐ，２０，３０，４０，５０  パチンコ機（遊技機）
【手続補正９】
【補正対象書類名】特許請求の範囲
【補正対象項目名】全文
【補正方法】変更
【補正の内容】
【特許請求の範囲】
【請求項１】
表面側に遊技領域が形成された遊技盤と、その遊技盤に配設される構成部品と、前記遊技盤を裏面側から覆うカバー部材とを備えた遊技機において、
前記遊技盤の裏面側に、
遊技内容に応じて球を払い出す払出機構が設けられる機構盤と、
接続線との電気的接続に使用されるコネクタが搭載された遊技の制御を行う制御基板が収容され、その制御基板の前記コネクタに対するコネクタ開口が設けられた基板ボックスと、
第１連結部と、
貫通穴を有する第１施錠部とを備え、
前記カバー部材に、
前記第１連結部に対応して設けられる第２連結部と、
前記第１施錠部に対応して設けられる貫通穴を有する第２施錠部とを備え、
封止手段によって前記第１連結部および第２連結部を連結封止することで、前記カバー部材が固着されるものであり、
前記基板ボックスは、ボックスベースとボックスカバーとによって前記制御基板を収容するとともに、
前記カバー部材が固着された状態では、少なくとも基板ボックスの前記コネクタ開口に臨む前記コネクタ及び配線が、前記カバー部材によって覆われ、
前記カバー部材が固着された状態では、前記第１施錠部と前記第２施錠部とによって施錠部が形成され、遊技機とは別に設けられる錠部材によって前記施錠部を施錠可能としたことを特徴とする遊技機。
【手続補正書】
【提出日】平成21年1月16日(2009.1.16)
【手続補正１】
【補正対象書類名】明細書
【補正対象項目名】００３３
【補正方法】変更
【補正の内容】
【００３３】
L＝Kλ/(β0cosθB)
L ： 結晶サイズ（nm）
K ： 定数＝1.0
λ ： Ｘ線の波長＝0.15418nm
θB ： ブラッグ角
β0＝（βE2−βI2）1/2
βE ： 見かけの半値幅（測定値）
βI ： 装置定数＝1.046×10-2rad.
Ｊ．仮撚加工糸の捲縮特性、CR値
仮撚加工糸をかせ取りし、実質的に荷重フリーの状態で沸騰水中15分間処理し、24時間風乾した。このサンプルに0.088cN/dtex（0.1gf/d）相当の荷重をかけ水中に浸漬し、2分後のかせ長L'0を測定した。次に、水中で0.088cN/dtex相当の荷重を除き0.0018cN/dtex（2mgf/d）相当の微荷重に交換し、2分後のかせ長L'1を測定した。そして下式によりCR値を計算した。
【手続補正書】
【提出日】平成21年7月30日(2009.7.30)
【手続補正１】
【補正対象書類名】明細書
【補正対象項目名】特許請求の範囲
【補正方法】変更
【補正の内容】
【特許請求の範囲】
【請求項１】  ３次元空間でオブジェクトを定義する第１の情報を格納する手段と、
３次元空間でテクスチャを定義する第２の情報を格納する手段と、
前記第１の情報によって定義された前記オブジェクトの少なくとも一部において前記オブジェクトの外観に組み込まれるように、２次元の多角形内にマップされた、前記第２の情報によって定義された前記テクスチャを含むオブジェクトを定義する第３の情報を生成するマッピング手段と
を備えることを特徴とするコンピュータグラフィックス装置。
【請求項２】 コンピュータ装置において３次元オブジェクトをグラフィックスで表す方法であって、
３次元空間でオブジェクトを定義する第１の情報を格納する工程と、
３次元空間でテクスチャを定義する第２の情報を格納する工程と、
前記第１の情報によって定義された前記オブジェクトの少なくとも一部において前記オブジェクトの外観に組み込まれるように、２次元の多角形内にマップされた、前記第２の情報によって定義された前記テクスチャを含むオブジェクトを定義する第３の情報を生成するマッピング工程と、
を有することを特徴とする方法。
【請求項３】  コンピュータを、
３次元空間でオブジェクトを定義する第１の情報を格納する手段と、
３次元空間でテクスチャを定義する第２の情報を格納する手段と、
前記第１の情報によって定義された前記オブジェクトの少なくとも一部において前記オブジェクトの外観に組み込まれるように、２次元の多角形内にマップされた、前記第２の情報によって定義された前記テクスチャを含むオブジェクトを定義する第３の情報を生成するマッピング手段と、
を備えるコンピュータグラフィックス装置として機能させるためのコンピュータプログラムを格納したことを特徴とするコンピュータ可読記憶媒体。
【手続補正書】
【提出日】平成21年10月28日(2009.10.28)
【手続補正１】
【補正対象書類名】明細書
【補正対象項目名】００１７
【補正方法】変更
【補正の内容】
【００１７】
図１は、本発明の継手が用いられている半導体製造装置用流体制御装置（Ｅ）が、ボックス（Ｂ）に収められて垂直壁面（Ｗ）にその長さ方向を垂直にして配置せられた状態を示す。図示は略したが、同じ流体制御装置（Ｅ）が複数その長さ方向を垂直にしかつ並列状に配置せられている。この流体制御装置（Ｅ）は、マスフローコントローラ(1)の下の流体通路入口側に上から順に２ポート開閉弁(2)、３ポート開閉弁(3)、圧力計(4)、圧力調整器(5)、フィルター(6)および手動弁(7)を一列に備えており、同上の流体通路出口側に２ポート開閉弁(8) を備えている（以下これらを単に装置構成部材(1)〜(8)という）。装置構成部材(1)の流体通路入口側と流体通路出口側には、直方体状張出部(1a)(1b)が、他の装置構成部材(2)〜(8)の各後端には、方形のフランジ部(2a)(3a)(4a)(5a)(6a)(7a)(8a)がそれぞれ設けられており、これらの後面はすべて面一とされている。装置構成部材(1)〜(8)それぞれは、入口(９)および出口(１０)が流体制御装置（Ｅ）の長さ方向すなわちガス状流体の流れ方向である下から上の方向に並んでいる流体通路を有している。
【手続補正２】
【補正対象書類名】明細書
【補正対象項目名】００２０
【補正方法】変更
【補正の内容】
【００２０】
第１直方体状継手(１３)は、流体の流れ方向すなわち垂直方向にのびた凹溝(１８)が長さの中央に横断状に設けられ、かつ凹溝(１８)の両側に継手(１３)を基板(１１)に取付ける継手取付け用ボルト(２１)の六角孔付き頭を継手(１３)から突出しないように受ける段部(２０ａ)付きボルト挿通孔(２０)および装置構成部材取付け用おねじ部材(１９)がねじ込まれるめねじ部(２２)がそれぞれ設けられた凹字状接続部材(２３)と、接続部材(２３)の凹溝(１８)に嵌め込まれかつ連通路(１２)のみを有する扁平直方体状連通部材(２４)とに全体が２分割せられ、連通部材(２４)がステンレス鋼よりなり、接続部材(２３)がステンレス鋼より比重の軽い素材であるポリアミド６よりなるものである。なお、おねじ部材(１９) も六角孔付き頭を有している。
【手続補正３】
【補正対象書類名】明細書
【補正対象項目名】００２２
【補正方法】変更
【補正の内容】
【００２２】
接続部材(２３)は、上記のようにポリアミド６よりなるものであるから、めねじが設けられない。そこで、図４および図５に示すように、めねじ部(２２)が、接続部材(２３)に埋入せられたステンレス鋼製めねじ部品(２７)により形成せられている。すなわち、めねじ部品(２７)は、めねじ(２８)を備えたステンレス鋼製円柱体状のもので、溝(２９)付き頭(３０)を有しており、接続部材(２３)の前後方向にあけられた頭受け段部(３１ａ)付き貫通孔(３１)に密に嵌め入れられている。そして、接続部材(２３)の上面、左側面または右側面から頭(３０)を貫通している有底孔(３２)に固定ピン(３３)が打ち込まれることにより、めねじ部品(２７)が接続部材(２３)に固定され、おねじ部材(１９)との共回りが防がれる。頭(３０)の溝(２９)は、頭(３０)の孔と接続部材(２３)の孔とを一致せしめるのにめねじ部品(２７)を回動調整するドライバー先端を係合させるためのものである。
【手続補正４】
【補正対象書類名】明細書
【補正対象項目名】００３３
【補正方法】変更
【補正の内容】
【００３３】
この第１直方体状継手(５１)は、長さの中央に凹溝(５２)が設けられかつ凹溝(５２)の両側に装置構成部材取付け用おねじ部材(１９)がねじ込まれるめねじ部(５３)がそれぞれ２つ隅に設けられたアルミニウム製接続部材(５４)と、凹溝(５２)内全体に存在しかつＵ字状連通路(５５)が形成されたステンレス鋼製連通部材(５６)とで構成され、接続部材(５４)の凹溝(５２)の両側に、接続部材(５４)と連通部材(５６)に跨って段部付きボルト挿通孔(５７)が２つあけられ（図１１の鎖線部分にあけられる）、めねじ部(５３)が、接続部材(５４)に埋入せられたステンレス鋼製円柱状めねじ部品(５８) により形成せられているものである。
【手続補正５】
【補正対象書類名】明細書
【補正対象項目名】００４０
【補正方法】変更
【補正の内容】
【００４０】
(１)〜(８) 装置構成部材
(９) 装置構成部材の流体通路出口       
(１０) 装置構成部材の流体通路入口             
(１１) 基板
(１２) (１６) (５５) 連通路
(１３) (１４) (１５) (１７) (５１) 継手
(１８) (５２) 凹溝
(２１) 継手取付け用ボルト
(２０) (５７) ボルト挿通孔
(２０ａ) ボルト挿通孔の段部
(１９) 装置構成部材取付け用おねじ部材
(２２) (５３) 目ねじ部
(２３) (５４) 接続部材
(２４) (５６) 連通部材
(２７) (５８) めねじ部品
(３４) (３６) 位置決め用凸部
(３５) (３７) 位置決め用凹部
（Ｅ）流体制御装置
（Ｗ）垂直壁面
【手続補正書】
【提出日】平成20年11月28日(2008.11.28)
【手続補正１】
【補正対象書類名】特許請求の範囲
【補正対象項目名】請求項２
【補正方法】変更
【補正の内容】
【請求項２】
第１工程が、ロッドの内部にワイヤラインに接続されたインナビットアッセンブリを着脱可能に固定した状態で前記ロッドを給進して掘削を行なっており、第２工程の前にワイヤラインによりインナビットアッセンブリをロッドから引き抜いて回収してなることを特徴とする請求項１に記載のロックボルト施工方法。
【手続補正２】
【補正対象書類名】特許請求の範囲
【補正対象項目名】請求項３
【補正方法】変更
【補正の内容】
【請求項３】
第１工程が、外側となるロッド内にインナーロッドを設けた二重管掘削により掘削を行なっており、第２工程の前にインナーロッドを外側となるロッドから引き抜いて回収してなることを特徴とする請求項２に記載のロックボルト施工方法。
【手続補正３】
【補正対象書類名】明細書
【補正対象項目名】０００２
【補正方法】変更
【補正の内容】
【０００２】
従来、ロックボルト施工方法として、単管（シングル）掘削と二重管掘削とが知られている。
単管掘削では、掘削後にロッドビットを抜管し、ロックボルトとしての鋼棒を挿入してからセメントミルクを注入する。
二重管掘削は、一般的に地質が悪いときに使用される工法で、掘削後、内管ロッドビットだけを抜管し、外管内に鋼棒を挿入したままセメントミルクを注入し、その後に外管を抜管している。
しかし、前記単管掘削の場合、地質が悪いときはセメントミルクが地中に浸透してしまい使用量が増加し、また、孔が潰れて鋼棒を孔底まで挿入できない場合がある。
また、掘削後に、セメントミルクをすぐに注入しないと孔が潰れて孔中にセメントミルクが行き渡らない虞れがあるため、都度孔１本ごとの少量のセメントミルクを現場で混練、注入しなければならず、効率が悪く不経済となる。また現場に混練装置を設置する必要がある。
一方、二重管掘削の場合、二重管でのロッド接続作業となり重労働である。
また、掘削後に内管を回収した後に、直ちにセメントミルクを注入する必要があり、この場合も都度孔１本ごとに少量のセメントミルクを現場で混練、注入するため効率が悪く不経済となるし、現場に混練装置を設置する必要もある。
更に、地質が悪いときはセメントミルクが地中に浸透し、使用量が増加するという問題もあった。
また、ロックボルト施工機械としては、従来、クレーンドリル、スカイドリル、アタッチドリル等の名称で知られているが、無足場工法では施工機械本体を法面に固定し掘削反力を取る方法が無かった。
更に、これらの無足場工法の機械では、シングル掘削のみしか対応できなかった。
【手続補正書】
【提出日】平成20年12月1日(2008.12.1)
【手続補正１】
【補正対象書類名】明細書
【補正対象項目名】００４０
【補正方法】変更
【補正の内容】
【００４０】
また、内部壁(５)に設けた橋架け部材(１０)の中央部には、湾曲部(２０)を１箇所形成しており、この湾曲部(２０)が、内圧付加時におけるアブゾーブ壁面(３)の変形を抑制するため、このアブゾーブ壁面(３)に生じる最大応力値を低減することができる。そのため、アブゾーブ壁面(３)における一定箇所への応力集中を生じにくくすることが可能となり、アブゾーブ壁面(３)の破損を防止することができる。
【手続補正２】
【補正対象書類名】明細書
【補正対象項目名】００４２
【補正方法】変更
【補正の内容】
【００４２】
また、前記実施例６では橋架け部材(１０)の膨出部(１２)の中央部に湾曲部(２０)を１箇所形成しているが、本実施例７では図９(ｂ)に示す如く、膨出部(１２)の中央部に湾曲部(２０)を３箇所形成している。そのため、この湾曲部(２０)が、内圧付加時におけるアブゾーブ壁面(３)の変形を抑制するため、このアブゾーブ壁面(３)に生じる最大応力値を低減することが可能となり、応力の集中によるアブゾーブ壁面(３)の破損を防止することができる。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
調理器の上方または周囲に設置され、整流板の周囲に設け、汚染された空気を吸込む吸込口と吐出口と排気送風用の排気ファンを内包した送風ケーシングとを連通して通風路を設けたフードと、前記吸込口下流側に駆動手段により回転するフィルターと、前記フィルターを包囲する清浄ケーシングと、前記フィルターの中央近傍から水を供給する散水手段と、前記清浄ケーシング内に散乱した汚水の回収手段とを有し、前記整流板の対向する位置に前記フィルターを配設したことを特徴とするレンジフード。
【請求項２】
整流板またはフィルターを、両者が一定距離を保持し接近するように、移動可能としたことを特徴とする請求項１記載のレンジフード。
【請求項３】
整流板のフィルター側に板状の整水板を埋設させ、前記整水板はフィルターに接近し、前記フィルターからの散水を前記フィルターにはね返すことのできる一定距離を保持するよう、移動可能としたことを特徴とする請求項１記載のレンジフード。
【請求項４】
吸込口を閉鎖状態と開放状態とに切り替えが行えるよう、整流板が上下動することを特徴とする請求項１〜３のいずれかに記載のレンジフード。
【手続補正２】
【補正対象書類名】明細書
【補正対象項目名】０００９
【補正方法】変更
【補正の内容】
【０００９】
本発明のレンジフードは、上記目的を達成するために、調理器の上方または周囲に設置され、汚染された空気を吸込む吸込口を周囲に設けた整流板と吐出口と排気送風用の排気ファンを内包した送風ケーシングとを連通して通風路を設けたフードと、前記吸込口下流側に駆動手段により回転するフィルターと、前記フィルターを包囲する清浄ケーシングと、前記フィルターの中央近傍から水を供与する散水手段と、前記清浄ケーシング内に散乱した汚水の回収手段とを有し、前記整流板の対向する位置に前記フィルターを配設したものである。
【手続補正３】
【補正対象書類名】明細書
【補正対象項目名】００２１
【補正方法】変更
【補正の内容】
【００２１】
本発明の請求項１記載のレンジフードは、調理器の上方または周囲に設置され、汚染された空気を吸込む吸込口を周囲に設けた整流板と吐出口と排気送風用の排気ファンを内包した送風ケーシングとを連通して通風路を設けたフードと、前記吸込口下流側に駆動手段により回転するフィルターと、前記フィルターを包囲する清浄ケーシングと、フィルターの中央近傍から水を供与する散水手段と、清浄ケーシング内に散乱した汚水の回収手段とを有し、整流板の対向する位置にフィルターを配設したことを特徴とするレンジフードであり、通常使用時にはフィルターと整流板の裏側に汚れを捕集し、フィルター清浄時には、フィルターを取り外すことなく、かつ、手間なく整流板の裏側の汚れも除去することができる作用を有する。
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
外輪と、
内輪と、
前記外輪と前記内輪との間に配置される複数のころと、
前記ころを保持するポケットを有し、前記外輪と前記内輪との間で周方向に順次連ねて配置される複数の保持器セグメントとを備えるころ軸受であって、
周方向に連ねた最初の保持器セグメントと最後の保持器セグメントとの間を除いて、隣接する２つの前記保持器セグメントの間には、ころが配置され、
前記最初の保持器セグメントと前記最後の保持器セグメントとの間には、間座が配置される、ころ軸受。
【請求項２】
前記保持器セグメントには、軸方向の両端に位置し、周方向に突出する一対の突部が設けられている、請求項１に記載のころ軸受。
【請求項３】
隣接する２つの前記保持器セグメントの間には、ころを収容するポケットが形成される、請求項１または２に記載のころ軸受。
【請求項４】
前記保持器セグメントの周方向外側には、前記保持器セグメントを案内する案内面が設けられている、請求項１〜３のいずれかに記載のころ軸受。
【請求項５】
前記ころは、円錐ころである、請求項１〜４のいずれかに記載のころ軸受。
【請求項６】
ころを保持するポケットを有し、ころ軸受に含まれる外輪と内輪との間で周方向に順次連ねて配置される保持器セグメントであって、
前記保持器セグメントには、軸方向の両端に位置し、周方向に突出する一対の突部が設けられている、保持器セグメント。
【請求項７】
風力を受けるブレードと、
その一端が前記ブレードに固定され、ブレードとともに回転する主軸と、
固定部材に組み込まれ、前記主軸を回転自在に支持するころ軸受とを有する風力発電機の主軸支持構造であって、
前記ころ軸受は、外輪と、内輪と、前記外輪と前記内輪との間に配置される複数のころと、前記ころを保持するポケットを有し、前記外輪と前記内輪との間で周方向に順次連ねて配置される複数の保持器セグメントとを備え、
周方向に連ねた最初の保持器セグメントと最後の保持器セグメントとの間を除いて、隣接する２つの前記保持器セグメントの間には、ころが配置され、
前記最初の保持器セグメントと前記最後の保持器セグメントとの間には、間座が配置される、風力発電機の主軸支持構造。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
エンジンの動作のために供給がされる少なくとも１つのシリンダ（Ｃ１〜Ｃ４）の少なくとも２つのグループ（１２、１４）と、少なくとも１つの排気浄化手段（４２、９６、１０２）を有する排気ライン（４０、９４、１００）とを有する内燃エンジンの吸気を制御する方法において、
前記エンジンが低速および／または低トルクで動作しているときに、
前記エンジンを動作させるために前記複数のシリンダ内に供給される全供給量を求めることと、
排気温度を上昇させて、前記排気浄化手段（４２、９６、１０２）の温度の上昇を速くすることができるように、前記全供給量のうち、前記グループの１つのグループ（１２）の前記シリンダ（Ｃ１、Ｃ４）に、他のグループ（１４）の前記シリンダ（Ｃ２、Ｃ３）よりも大きな割合を供給することと、
を有することを特徴とする、内燃エンジンの吸気を制御する方法。
【請求項２】
前記全供給量のたかだか全部を前記グループ（１２、１４）の１つのグループの前記シリンダにすることを特徴とする、請求項１に記載の内燃エンジンの吸気を制御する方法。
【請求項３】
前記グループの１つのグループ（１２）の前記シリンダ（Ｃ１、Ｃ４）に前記全供給量の実質的に７５％の割合を供給し、他のグループ（１４）の前記シリンダ（Ｃ２、Ｃ３）に前記全供給量の残りを供給することを特徴とする、請求項１に記載の内燃エンジンの吸気を制御する方法。
【請求項４】
前記供給量は前記複数のシリンダ内に噴射される燃料の量からなることを特徴とする、請求項１から３のいずれか１項に記載の内燃エンジンの吸気を制御する方法。
【請求項５】
前記供給量は前記複数のシリンダ内に供給される燃料混合気の量からなることを特徴とする、請求項１から３のいずれか１項に記載の内燃エンジンの吸気を制御する方法。
【請求項６】
前記少なくとも２つのグループのシリンダの間で前記全供給量の最も大きな割合の吸気を切り替えることを特徴とする、請求項１から５のいずれか１項に記載の内燃エンジンの吸気を制御する方法。
【請求項７】
前記全供給量の最も大きな割合を受ける前記シリンダのグループのシリンダの燃焼遅れを増加させることを特徴とする、請求項１に記載の内燃エンジンの吸気を制御する方法。
【手続補正２】
【補正対象書類名】明細書
【補正対象項目名】０００８
【補正方法】変更
【補正の内容】
【０００８】
そのため、本発明は、エンジンの動作のために供給がされる少なくとも１つのシリンダの少なくとも２つのグループと、少なくとも１つの排気浄化手段を有する排気ラインとを有する内燃エンジンの吸気を制御する方法において、
エンジンが低速および／または低トルクで動作しているときに、
エンジンを動作させるために前記複数のシリンダ内に供給される全供給量を求めることと、
排気温度を上昇させて、排気浄化手段の温度の上昇を速くすることができるように、全供給量のうち、グループの１つのグループのシリンダに、他のグループのシリンダよりも大きな割合を供給することと、
有することを特徴とする方法に関する。
【手続補正３】
【補正対象書類名】明細書
【補正対象項目名】０００９
【補正方法】変更
【補正の内容】
【０００９】
本方法は、全供給量のたかだか全部を２つのグループの１つのグループのシリンダにしてもよい。
【手続補正４】
【補正対象書類名】明細書
【補正対象項目名】００１０
【補正方法】変更
【補正の内容】
【００１０】
本方法は、グループの１つのグループのシリンダに全供給量の実質的に７５％の割合を供給し、他のグループのシリンダに全供給量の残りを供給してもよい。
【手続補正５】
【補正対象書類名】明細書
【補正対象項目名】００１１
【補正方法】変更
【補正の内容】
【００１１】
供給量は複数のシリンダ内に噴射される燃料の量からなってもよい。
【手続補正６】
【補正対象書類名】明細書
【補正対象項目名】００１２
【補正方法】変更
【補正の内容】
【００１２】
供給量は複数のシリンダ内に供給される燃料混合気の量からなってもよい。
【手続補正７】
【補正対象書類名】明細書
【補正対象項目名】００１３
【補正方法】変更
【補正の内容】
【００１３】
本方法は、少なくとも２つのグループのシリンダの間で全供給量の最も大きな割合の吸気を切り替えてもよい。
【手続補正８】
【補正対象書類名】明細書
【補正対象項目名】００１４
【補正方法】変更
【補正の内容】
【００１４】
本方法は全供給量の最も大きな割合を受けるシリンダのグループのシリンダの燃焼遅れを増加させてもよい。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
ａ）１種または複数種の水素化ニトリルゴムと、
ｂ）１種または複数種の不飽和カルボン酸および／または１種または複数種のその塩と、
ｃ）少なくとも１種の過酸化物と、
ｄ）ガラス転移温度が−２０℃よりも低い少なくとも１種のミクロゲルと、
を含む加硫可能な組成物。
【請求項２】
前記成分ａ）、ｂ）、ｃ）およびｄ）を、互いに混合することを特徴とする請求項１に記載の加硫可能な組成物の製造方法。
【請求項３】
請求項１に記載の加硫可能な組成物を熱処理にさらすことを特徴とする加硫製品の製造方法。
【請求項４】
請求項１に記載の加硫可能な組成物の、加硫製品を製造するための使用。
【請求項５】
請求項１に記載の加硫可能な組成物の加硫により得られる加硫製品。
【請求項６】
請求項５に記載の加硫製品を含む駆動ベルト。
【請求項７】
請求項５に記載の加硫製品を含むロール被覆材。
【請求項８】
請求項５に記載の加硫製品を含むホース。
【請求項９】
請求項５に記載の加硫製品を含むケーブル。
【手続補正書】
【提出日】平成21年8月18日(2009.8.18)
【手続補正１】
【補正対象書類名】明細書
【補正対象項目名】００１６
【補正方法】変更
【補正の内容】
【００１６】
図１に例証されたナノスフェア成分１０には、実質的にオイルに不溶性のコア１２およびコアに結合した油溶性のコロナ１４が含まれる。ナノスフェア成分のコア１２は、光架橋が可能なポリ（２−シンナモイルオキシアルキルアクリレート）、あるいはポリ（ヒドロキシルアルキルアクリレート）のヒドロキシル基またはＰＨＡＡと塩化シンナモイルとの反応によって作られたＰＣＡＡブロックから得られる。コア１２のガラス転移温度は、ヒドロキシアルキルアクリレートの一部と塩化オクタノイルを反応させることによって調整され、ポリ［（２−シンナモイルオキシエチルアクリレート）−ｒａｎ−（２−オクタノイルエチルアクリレート）］のようなポリ［（２−シンナモイルオキシアルキルアクリレート）−ｒａｎ−（２−オクタノイルアルキルアクリレート）］、あるいは以下の化学式で例証されるＰ（ＣＥＡ−ｒ−ＯＥＡ）が得られる：
【手続補正２】
【補正対象書類名】明細書
【補正対象項目名】００１７
【補正方法】変更
【補正の内容】
【００１７】
【化１】
2007162023.tif 000001
【手続補正３】
【補正対象書類名】明細書
【補正対象項目名】００２４
【補正方法】変更
【補正の内容】
【００２４】
例１：Ｐ（ＥＸＡ−ｒ−ｔＢＡ）−ｂ−ＰＨＥＡの合成
コロナ１４を供給するポリマーＰ（ＥＸＡ−ｒ−ｔＢＡ）−ｂ−ＰＨＥＡの基礎集合は、Ｐ（ＥＸＡ−ｒ−ｔＢＡ）−ｂ−Ｐ（ＨＥＡ−ＴＭＳ）を加水分解することによって調製される。ここでＰ（ＨＥＡ−ＴＭＳ）とはポリ（２−トリメチルシリルオキシエチルアクリレート）を意味する。Ｐ（ＥＸＡ−ｒ−ｔＢＡ）−ｂ−Ｐ（ＨＥＡ−ＴＭＳ）は、ＰＢＡ−ｂ−（Ｐ（ＨＥＡ−ＴＭＳ）の生成のための原子移動ラジカル重合（ＡＴＲＰ）プロセスによって合成される。ここで、ＰＢＡとはポリ（ブチルアクリレート）を意味する。開始システムには、メチル−２−ブロモプロピオネート（ＣＨ３ＣＨＢｒＣＯ２ＣＨ３）、臭化銅（Ｉ）、および化学式（（ＣＨ3)2ＮＣＨ2ＣＨ2)2ＮＣＨ3のＮ，Ｎ，Ｎ′，Ｎ″，Ｎ″−ペンタメチルジエチレントリアミン（ＰＭＤＥＴＡ）が含まれる。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
発泡した、一液型で水系の接着剤又はコーティング組成物であって、非架橋性のポリマー、反応性の架橋性ポリマー、少なくとも一種の第２の架橋性成分及び架橋触媒を含む、組成物。
【請求項２】
前記非架橋性ポリマーがエチレン−ビニルアセテートコポリマーであり、そして前記反応性の架橋性コポリマーがビニルアセテート−Ｎ−メチロールアクリルアミドコポリマーである、請求項１に記載の組成物。
【請求項３】
前記架橋触媒がルイス酸である、請求項１に記載の組成物。
【請求項４】
３５〜４５容積％発泡されている、請求項１に記載の組成物。
【請求項５】
架橋されている、請求項１に記載の組成物。
【請求項６】
請求項１に記載の組成物を含む、積層品。
【請求項７】
前記組成物が、装飾層とコアー層の間に位置する、請求項６に記載の積層品。
【請求項８】
前記装飾層が、熱硬化性樹脂含浸セルロース材料である、請求項７に記載の積層品。
【請求項９】
請求項５に記載の組成物を含む、基材。
【請求項１０】
請求項１に記載の組成物で被覆された表面を有し、前記組成物を架橋して硬化するために前記組成物が乾燥されている、基材。
【手続補正書】
【提出日】平成21年9月29日(2009.9.29)
【手続補正１】
【補正対象書類名】明細書
【補正対象項目名】０１５２
【補正方法】変更
【補正の内容】
【０１５２】
合成例１
＜高分子化合物６の合成＞
ジムロート冷却器を接続した２００ｍＬ三つ口丸底フラスコに、２，７−（１，３，２−ジオキサボロラン−２−イル）−９，９−ジオクチルフルオレン  １．５９ｇ、ビス（４−ブロモフェニル）−４−ｓｅｃ−ブチルアニリン  １．３８ｇ、トルエン  ２３ｍｌを加えた。窒素雰囲気下、モノマー溶液を加熱し５０℃で酢酸パラジウム  １．２ｍｇ、トリス（２−メトキシフェニル）ホスフィン  ９．５ｍｇ、２０重量％テトラエチルアンモニウムヒドロキシド水溶液  １０．２ｇを注加した。１０５℃に加熱した後、４ｈｒ攪拌した。次にトルエン１．５ｍＬに溶解したｔ−ブチルフェニルホウ酸  ２６７ｍｇを加え１０５℃で２ｈｒ攪拌した。更にＮ，Ｎ−ジエチルジチオカルバミド酸ナトリウム三水和物  ０．６ｇ、イオン交換水  ９ｍＬを加え６５℃で２ｈｒ攪拌した。有機層を水層と分離した後、有機層を２Ｍ塩酸  約７０ｍＬ（１回）、１０重量％酢酸ナトリウム水溶液  約７０ｍＬ（１回）、イオン交換水  約７０ｍＬ（３回）の順番で洗浄した。有機層をメタノール  約８００ｍＬに滴下しポリマーを沈殿させ、沈殿物を濾過後乾燥し固体を得た。この固体をトルエン  約９０ｍＬに溶解させ、あらかじめトルエンを通液したシリカゲル／アルミナカラムに溶液を通液し、この溶液をメタノール  約８００ｍＬに滴下しポリマーを沈殿させ、沈殿物を濾過後乾燥し、重合体（以後、高分子化合物６と呼ぶ）を１．９２ｇ得た。また、ポリスチレン換算の重量平均分子量は、Ｍｗ＝３．０×１０５であった。